(57)【要約】【課題】ユーザが所望する音響空間を実現するために、適切な音響パラメータを音響装置に設定する。【解決手段】送信部１３は、機種特定情報と車種特定情報とを、通信ネットワークを介して音響パラメータ設定装置１００と相互に接続されたサーバに送信する。取得部１４は、機種特定情報により特定される機種に対応付けられた関連機種の音響装置が、車種特定情報により特定される車種に対応付けられた関連車種の車両に搭載された状態において、関連車種の車両に搭載された関連機種の音響装置に設定された設定値の履歴情報に基づいて決定される所定個数の設定値を取得する。設定部１５は、取得された所定個数の設定値から選択されるいずれかの設定値を、設定対象の音響装置に設定する。【選択図】図４
2013207580.tif 000002
【特許請求の範囲】
【請求項１】
設定対象の音響装置の機種を特定する情報を含む機種特定情報と、前記設定対象の音響装置が搭載されている車両の車種を特定する情報を含む車種特定情報と、を、通信ネットワークを介して音響パラメータ設定装置と相互に接続されたサーバに送信する送信部と、
前記機種特定情報により特定される機種に対応付けられた関連機種の音響装置が、前記車種特定情報により特定される車種に対応付けられた関連車種の車両に搭載された状態において、前記関連車種の車両に搭載された前記関連機種の音響装置に設定された設定値の履歴情報に基づいて決定される所定個数の設定値を取得する取得部と、
前記取得された所定個数の設定値から選択されるいずれかの設定値を、前記設定対象の音響装置に設定する設定部と、を備える、
ことを特徴とする音響パラメータ設定装置。
【請求項２】
前記送信部は、さらに、前記設定対象の音響装置のユーザを特定する情報を含むユーザ特定情報を、前記サーバに送信し、
前記取得部は、
前記ユーザ特定情報により特定されるユーザに対応付けられた履歴情報が存在する場合、前記ユーザに対応付けられた履歴情報に基づいて決定される所定個数の設定値を取得し、
前記ユーザ特定情報により特定されるユーザに対応付けられた履歴情報が存在しない場合、前記ユーザ以外のユーザに対応付けられた履歴情報に基づいて決定される所定個数の設定値を取得する、
ことを特徴とする請求項１に記載の音響パラメータ設定装置。
【請求項３】
前記取得部は、
前記機種特定情報により特定される機種に対応付けられた履歴情報が存在する場合、前記機種特定情報により特定される機種に対応付けられた履歴情報に基づいて決定される所定個数の設定値を取得し、
前記機種特定情報により特定される機種に対応付けられた履歴情報が存在しない場合、前記機種特定情報により特定される機種以外の前記関連機種に対応付けられた履歴情報に基づいて決定される所定個数の設定値を取得する、
ことを特徴とする請求項１又は２に記載の音響パラメータ設定装置。
【請求項４】
前記取得部は、
前記車種特定情報により特定される車種に対応付けられた履歴情報が存在する場合、前記車種特定情報により特定される車種に対応付けられた履歴情報に基づいて決定される所定個数の設定値を取得し、
前記車種特定情報により特定される車種に対応付けられた履歴情報が存在しない場合、前記車種特定情報により特定される車種以外の前記関連車種に対応付けられた履歴情報に基づいて決定される所定個数の設定値を取得する、
ことを特徴とする請求項１乃至３のいずれか１項に記載の音響パラメータ設定装置。
【請求項５】
前記履歴情報は、前記関連車種の車両に搭載された前記関連機種の音響装置に設定された回数を、設定値毎に特定する情報を含み、
前記取得部は、前記関連車種の車両に搭載された前記関連機種の音響装置に設定された回数が多い順に選択された所定個数の設定値を取得する、
ことを特徴とする請求項１乃至４のいずれか１項に記載の音響パラメータ設定装置。
【請求項６】
前記履歴情報は、前記関連車種の車両に搭載された前記関連機種の音響装置に最後に設定された時刻を、設定値毎に特定する情報を含み、
前記取得部は、前記関連車種の車両に搭載された前記関連機種の音響装置に最後に設定された時刻が遅い順に選択された所定個数の設定値を取得する、
ことを特徴とする請求項１乃至４のいずれか１項に記載の音響パラメータ設定装置。
【請求項７】
前記履歴情報は、前記関連車種の車両に搭載された前記関連機種の音響装置に設定された回数を、設定値毎に特定する情報を含み、
前記取得部は、前記関連車種の車両に搭載された前記関連機種の音響装置に設定された設定値の加重平均を、前記設定対象の音響装置に設定する設定値として取得する、
ことを特徴とする請求項１乃至４のいずれか１項に記載の音響パラメータ設定装置。
【請求項８】
前記設定部は、
前記取得された所定個数の設定値のうちのいずれかの指定を受け付ける指定受付部と、
前記受け付けられた指定により指定された設定値を、前記設定対象の音響装置に設定する設定値設定部と、を備える、
ことを特徴とする請求項１乃至７のいずれか１項に記載の音響パラメータ設定装置。
【請求項９】
前記取得部は、
前記関連車種の車両に搭載された前記関連機種の音響装置に設定することが推奨される所定個数の設定値が存在する場合、前記推奨される所定個数の設定値を取得し、
前記関連車種の車両に搭載された前記関連機種の音響装置に設定することが推奨される設定値が存在しない場合、前記関連車種の車両に搭載された前記関連機種の音響装置に設定された設定値の履歴情報に基づいて決定される所定個数の設定値を取得する、
ことを特徴とする請求項１乃至８のいずれか１項に記載の音響パラメータ設定装置。
【請求項１０】
前記関連機種と前記機種特定情報により特定される機種とは、音響特性を互いに導き出すことができる関係にある、
ことを特徴とする請求項１乃至９のいずれか１項に記載の音響パラメータ設定装置。
【請求項１１】
前記関連車種は、車体形状や使用形態が、前記車種特定情報により特定される車種と同一の分類に属する車種である、
ことを特徴とする請求項１乃至１０のいずれか１項に記載の音響パラメータ設定装置。
【請求項１２】
設定対象の音響装置の機種を特定する情報を含む機種特定情報と、前記設定対象の音響装置が搭載されている車両の車種を特定する情報を含む車種特定情報と、前記設定対象の音響装置に設定されている音響パラメータの設定値を特定する情報を含む設定値特定情報と、を、相互に対応付けて記憶する記憶部と、
通信ネットワークを介してサーバと相互に接続された音響パラメータ設定装置から、前記機種特定情報と前記車種特定情報と前記設定値特定情報とを受信する受信部と、
前記受信された機種特定情報により特定される機種に対応付けられた関連機種の音響装置が、前記受信された車種特定情報により特定される車種に対応付けられた関連車種の車両に搭載された状態において、前記関連車種の車両に搭載された前記関連機種の音響装置に設定された設定値の履歴情報を前記記憶部から抽出する抽出部と、
前記抽出された履歴情報に基づいて所定個数の設定値を決定する決定部と、
前記決定された所定個数の設定値を示す情報を、前記音響パラメータ設定装置に送信する送信部と、
前記受信された機種特定情報と、前記受信された車種特定情報と、前記受信された設定値特定情報と、を、相互に対応付けて、前記記憶部に登録する登録部と、を備える、
ことを特徴とするサーバ。
【請求項１３】
設定対象の音響装置の機種を特定する情報を含む機種特定情報と、前記設定対象の音響装置が搭載されている車両の車種を特定する情報を含む車種特定情報と、を、通信ネットワークを介して音響パラメータ設定装置と相互に接続されたサーバに送信する送信ステップと、
前記機種特定情報により特定される機種に対応付けられた関連機種の音響装置が、前記車種特定情報により特定される車種に対応付けられた関連車種の車両に搭載された状態において、前記関連車種の車両に搭載された前記関連機種の音響装置に設定された設定値の履歴情報に基づいて決定される所定個数の設定値を取得する取得ステップと、
前記取得された所定個数の設定値から選択されるいずれかの設定値を、前記設定対象の音響装置に設定する設定ステップと、を備える、
ことを特徴とする音響パラメータ設定方法。
【請求項１４】
コンピュータを、
設定対象の音響装置の機種を特定する情報を含む機種特定情報と、前記設定対象の音響装置が搭載されている車両の車種を特定する情報を含む車種特定情報と、を、通信ネットワークを介して音響パラメータ設定装置と相互に接続されたサーバに送信する送信部、
前記機種特定情報により特定される機種に対応付けられた関連機種の音響装置が、前記車種特定情報により特定される車種に対応付けられた関連車種の車両に搭載された状態において、前記関連車種の車両に搭載された前記関連機種の音響装置に設定された設定値の履歴情報に基づいて決定される所定個数の設定値を取得する取得部、
前記取得された所定個数の設定値から選択されるいずれかの設定値を、前記設定対象の音響装置に設定する設定部、として機能させる、
ことを特徴とするプログラム。
【発明の詳細な説明】
【技術分野】
【０００１】
本発明は、音響パラメータ設定装置、サーバ、音響パラメータ設定方法、及び、プログラムに関する。
【背景技術】
【０００２】
現在、車載用のオーディオ装置には、設定されている音響パラメータに従って、オーディオ装置が搭載される車両の車室内の音場に応じた適切な音声を出力することできるものが知られている。このようなオーディオ装置は、ＣＤ（Compact Disk）やラジオなどから供給された音声信号に対し、メモリなどに保存されている音響パラメータに従った信号処理を施し、信号処理が施された音声信号をスピーカから出力する。ここで、音響パラメータは、例えば、車両の前側に設置されたスピーカから出力される音声の音量と車両の後側に設置されたスピーカから出力される音声の音量とのバランス、車両の右側に設置されたスピーカから出力される音声の音量と車両の左側に設置されたスピーカから出力される音声の音量とのバランス、各スピーカから出力される音声の遅延時間である。
【０００３】
ユーザが音響パラメータを手動で設定することは容易ではない。このため、音響パラメータを自動で設定したり、ユーザが音響パラメータを設定することを補助したりする技術が開発されている。例えば、特許文献１には、自車両のプロフィール情報と近似するプロフィール情報を有する車室内音響情報に定義された音響パラメータ（音響設定データ）に従って音響設定する音響情報提供システム等が開示されている。特許文献１に開示された発明では、オーディオ装置の機種、オーディオ装置が搭載される車両の車種、及び、ユーザの嗜好などに応じた音響パラメータがユーザに提示される。
【先行技術文献】
【特許文献】
【０００４】
【特許文献１】特開２００９−２８８２６０号公報
【発明の概要】
【発明が解決しようとする課題】
【０００５】
しかしながら、特許文献１に開示された発明では、予め定められた複数個の音響パラメータの中から、プロフィール情報の近似度により音響パラメータが選択される。従って、特許文献１に開示された発明では、多くのユーザの間で流行している音響空間を実現するための音響パラメータなど、ユーザが真に実現したいと考える音響空間を実現するための音響パラメータが選択されなかった。このため、ユーザが所望する音響空間を実現するために、適切な音響パラメータを音響装置に設定することが可能な技術が望まれている。
【０００６】
本発明は、このような状況に鑑みてなされたものであり、ユーザが所望する音響空間を実現するために、適切な音響パラメータを音響装置に設定することが可能な音響パラメータ設定装置、サーバ、音響パラメータ設定方法、及び、プログラムを提供することを目的とする。
【課題を解決するための手段】
【０００７】
上記目的を達成するために、本発明の第１の観点に係る音響パラメータ設定装置は、
設定対象の音響装置の機種を特定する情報を含む機種特定情報と、前記設定対象の音響装置が搭載されている車両の車種を特定する情報を含む車種特定情報と、を、通信ネットワークを介して音響パラメータ設定装置と相互に接続されたサーバに送信する送信部と、
前記機種特定情報により特定される機種に対応付けられた関連機種の音響装置が、前記車種特定情報により特定される車種に対応付けられた関連車種の車両に搭載された状態において、前記関連車種の車両に搭載された前記関連機種の音響装置に設定された設定値の履歴情報に基づいて決定される所定個数の設定値を取得する取得部と、
前記取得された所定個数の設定値から選択されるいずれかの設定値を、前記設定対象の音響装置に設定する設定部と、を備える、
ことを特徴とする。
【０００８】
前記送信部は、さらに、前記設定対象の音響装置のユーザを特定する情報を含むユーザ特定情報を、前記サーバに送信し、
前記取得部は、
前記ユーザ特定情報により特定されるユーザに対応付けられた履歴情報が存在する場合、前記ユーザに対応付けられた履歴情報に基づいて決定される所定個数の設定値を取得し、
前記ユーザ特定情報により特定されるユーザに対応付けられた履歴情報が存在しない場合、前記ユーザ以外のユーザに対応付けられた履歴情報に基づいて決定される所定個数の設定値を取得してもよい。
【０００９】
前記取得部は、
前記機種特定情報により特定される機種に対応付けられた履歴情報が存在する場合、前記機種特定情報により特定される機種に対応付けられた履歴情報に基づいて決定される所定個数の設定値を取得し、
前記機種特定情報により特定される機種に対応付けられた履歴情報が存在しない場合、前記機種特定情報により特定される機種以外の前記関連機種に対応付けられた履歴情報に基づいて決定される所定個数の設定値を取得してもよい。
【００１０】
前記取得部は、
前記車種特定情報により特定される車種に対応付けられた履歴情報が存在する場合、前記車種特定情報により特定される車種に対応付けられた履歴情報に基づいて決定される所定個数の設定値を取得し、
前記車種特定情報により特定される車種に対応付けられた履歴情報が存在しない場合、前記車種特定情報により特定される車種以外の前記関連車種に対応付けられた履歴情報に基づいて決定される所定個数の設定値を取得してもよい。
【００１１】
前記履歴情報は、前記関連車種の車両に搭載された前記関連機種の音響装置に設定された回数を、設定値毎に特定する情報を含み、
前記取得部は、前記関連車種の車両に搭載された前記関連機種の音響装置に設定された回数が多い順に選択された所定個数の設定値を取得してもよい。
【００１２】
前記履歴情報は、前記関連車種の車両に搭載された前記関連機種の音響装置に最後に設定された時刻を、設定値毎に特定する情報を含み、
前記取得部は、前記関連車種の車両に搭載された前記関連機種の音響装置に最後に設定された時刻が遅い順に選択された所定個数の設定値を取得してもよい。
【００１３】
前記履歴情報は、前記関連車種の車両に搭載された前記関連機種の音響装置に設定された回数を、設定値毎に特定する情報を含み、
前記取得部は、前記関連車種の車両に搭載された前記関連機種の音響装置に設定された設定値の加重平均を、前記設定対象の音響装置に設定する設定値として取得してもよい。
【００１４】
前記設定部は、
前記取得された所定個数の設定値のうちのいずれかの指定を受け付ける指定受付部と、
前記受け付けられた指定により指定された設定値を、前記設定対象の音響装置に設定する設定値設定部と、を備えてもよい。
【００１５】
前記取得部は、
前記関連車種の車両に搭載された前記関連機種の音響装置に設定することが推奨される所定個数の設定値が存在する場合、前記推奨される所定個数の設定値を取得し、
前記関連車種の車両に搭載された前記関連機種の音響装置に設定することが推奨される設定値が存在しない場合、前記関連車種の車両に搭載された前記関連機種の音響装置に設定された設定値の履歴情報に基づいて決定される所定個数の設定値を取得してもよい。
【００１６】
前記関連機種と前記機種特定情報により特定される機種とは、音響特性を互いに導き出すことができる関係にあってもよい。
【００１７】
前記関連車種は、車体形状や使用形態が、前記車種特定情報により特定される車種と同一の分類に属する車種であってもよい。
【００１８】
上記目的を達成するために、本発明の第２の観点に係るサーバは、
設定対象の音響装置の機種を特定する情報を含む機種特定情報と、前記設定対象の音響装置が搭載されている車両の車種を特定する情報を含む車種特定情報と、前記設定対象の音響装置に設定されている音響パラメータの設定値を特定する情報を含む設定値特定情報と、を、相互に対応付けて記憶する記憶部と、
通信ネットワークを介してサーバと相互に接続された音響パラメータ設定装置から、前記機種特定情報と前記車種特定情報と前記設定値特定情報とを受信する受信部と、
前記受信された機種特定情報により特定される機種に対応付けられた関連機種の音響装置が、前記受信された車種特定情報により特定される車種に対応付けられた関連車種の車両に搭載された状態において、前記関連車種の車両に搭載された前記関連機種の音響装置に設定された設定値の履歴情報を前記記憶部から抽出する抽出部と、
前記抽出された履歴情報に基づいて所定個数の設定値を決定する決定部と、
前記決定された所定個数の設定値を示す情報を、前記音響パラメータ設定装置に送信する送信部と、
前記受信された機種特定情報と、前記受信された車種特定情報と、前記受信された設定値特定情報と、を、相互に対応付けて、前記記憶部に登録する登録部と、を備える、
ことを特徴とする。
【００１９】
上記目的を達成するために、本発明の第３の観点に係る音響パラメータ設定方法は、
設定対象の音響装置の機種を特定する情報を含む機種特定情報と、前記設定対象の音響装置が搭載されている車両の車種を特定する情報を含む車種特定情報と、を、通信ネットワークを介して音響パラメータ設定装置と相互に接続されたサーバに送信する送信ステップと、
前記機種特定情報により特定される機種に対応付けられた関連機種の音響装置が、前記車種特定情報により特定される車種に対応付けられた関連車種の車両に搭載された状態において、前記関連車種の車両に搭載された前記関連機種の音響装置に設定された設定値の履歴情報に基づいて決定される所定個数の設定値を取得する取得ステップと、
前記取得された所定個数の設定値から選択されるいずれかの設定値を、前記設定対象の音響装置に設定する設定ステップと、を備える、
ことを特徴とする。
【００２０】
上記目的を達成するために、本発明の第４の観点に係るプログラムは、
コンピュータを、
設定対象の音響装置の機種を特定する情報を含む機種特定情報と、前記設定対象の音響装置が搭載されている車両の車種を特定する情報を含む車種特定情報と、を、通信ネットワークを介して音響パラメータ設定装置と相互に接続されたサーバに送信する送信部、
前記機種特定情報により特定される機種に対応付けられた関連機種の音響装置が、前記車種特定情報により特定される車種に対応付けられた関連車種の車両に搭載された状態において、前記関連車種の車両に搭載された前記関連機種の音響装置に設定された設定値の履歴情報に基づいて決定される所定個数の設定値を取得する取得部、
前記取得された所定個数の設定値から選択されるいずれかの設定値を、前記設定対象の音響装置に設定する設定部、として機能させる、
ことを特徴とする。
【発明の効果】
【００２１】
本発明によれば、ユーザが所望する音響空間を実現するために、適切な音響パラメータを音響装置に設定することができる。
【図面の簡単な説明】
【００２２】
【図１】本発明の第１の実施形態に係る音響パラメータ設定システムの構成を示すブロック図である。
【図２】音声処理部の構成を示すブロック図である。
【図３】本発明の第１の実施形態に係るサーバの構成を示すブロック図である。
【図４】本発明の第１の実施形態に係る音響パラメータ設定装置の機能を説明するための図である。
【図５】本発明の第１の実施形態に係るサーバの機能を説明するための図である。
【図６】サーバの記憶部に記憶される履歴情報を模式的に示す図である。
【図７】本発明の第１の実施形態に係る音響パラメータ設定装置が実行する音響パラメータ設定処理を示すフローチャートである。
【図８】本発明の第１の実施形態に係るサーバが実行する音響パラメータ候補取得処理を示すフローチャートである。
【図９】関連機種について説明するための図である。
【図１０】本発明の第２の実施形態に係るサーバが実行する音響パラメータ候補取得処理を示すフローチャートである。
【図１１】関連車種について説明するための図である。
【図１２】本発明の第３の実施形態に係るサーバが実行する音響パラメータ候補取得処理を示すフローチャートである。
【発明を実施するための形態】
【００２３】
以下、図面を参照して、本発明の実施形態に係る音響パラメータ設定装置及びサーバについて説明する。
【００２４】
（第１の実施形態）
まず、図１を参照して、本実施形態に係る音響パラメータ設定システム１０００の構成について説明する。なお、本発明が適用される音響パラメータ設定システムは、図１に示す音響パラメータ設定システム１０００に限られない。例えば、音響パラメータ設定システム１０００に種々の装置が組み込まれたシステムに本発明が適用されてもよいし、音響パラメータ設定システム１０００から適宜、装置が除外されたシステムに本発明が適用されてもよい。また、音響パラメータ設定システム１０００が備える装置の個数は、図１に示す例に限られない。
【００２５】
図１に示すように、音響パラメータ設定システム１０００は、音響パラメータ設定装置１００、スピーカ１０７、基地局２００、サーバ３００、電気通信網４００を備える。
【００２６】
音響パラメータ設定装置１００は、車両に搭載された音響装置に音響パラメータを設定する装置である。本実施形態では、音響パラメータ設定装置が音響装置に組み込まれている例について説明する。従って、音響パラメータ設定装置１００は、音響装置の機能を備える。
【００２７】
音響パラメータ設定装置１００は、基地局２００を介してサーバ３００と通信する。なお、音響パラメータ設定装置１００と基地局２００とは、例えば、無線通信により接続される。一方、基地局２００とサーバ３００とは、例えば、電気通信網４００を介した有線通信により接続される。
【００２８】
スピーカ１０７は、音響装置の機能を有する音響パラメータ設定装置１００から供給された音声信号に従って、音声を出力する。スピーカ１０７は、音響パラメータ設定装置１００が搭載される車両に設置される。
【００２９】
基地局２００は、電気通信網４００を介して音響パラメータ設定装置１００とサーバ３００とを接続する機能を有する。
【００３０】
サーバ３００は、過去に使用された実績のある音響パラメータの設定値や推奨される音響パラメータの設定値を記憶する。以下、「音響パラメータの設定値」のことを、適宜、単に「設定値」という。サーバ３００は、音響パラメータ設定装置１００からの要求に従って、音響装置のユーザが所望する音響空間を車両内に実現するために適切であると予想される所定個数の設定値を、音響パラメータ設定装置１００に供給する。サーバ３００は、電気通信網４００を介して、基地局２００と通信する。
【００３１】
電気通信網４００は、インターネットなどの通信網である。電気通信網４００は、基地局２００とサーバ３００とを相互に通信可能に接続する。なお、音響パラメータ設定装置１００とサーバ３００とが直接通信可能な構成であれば、基地局２００などはなくてもよい。
【００３２】
次に、図１を参照して、音響パラメータ設定装置１００の物理的な構成について説明する。図１に示すように音響パラメータ設定装置１００は、ＣＰＵ（Central Processing Unit）１０１、ＲＯＭ（Read Only Memory）１０２、ＲＡＭ（Random Access Memory）１０３、ＲＴＣ（Real Time Clock）１０４、無線通信部１０５、音声処理部１０６、操作部１０８、ハードディスク１０９、画像処理部１１０、タッチ操作検知部１１１、タッチスクリーン１１２、を備える。音響パラメータ設定装置１００が備えるこれらの構成要素は、バス１２０により相互に接続される。
【００３３】
ＣＰＵ１０１は、音響パラメータ設定装置１００の全体の動作を制御する。なお、ＣＰＵ１０１は、ＲＯＭ１０２に格納されているプログラムに従って動作し、ＲＡＭ１０３をワークエリアとして使用する。
【００３４】
ＲＯＭ１０２には、音響パラメータ設定装置１００の全体の動作を制御するためのプログラムやデータが記憶される。
【００３５】
ＲＡＭ１０３は、ＣＰＵ１０１のワークエリアとして機能する。つまり、ＣＰＵ１０１は、ＲＡＭ１０３にプログラムやデータを一時的に書き込み、これらのプログラムやデータを適宜参照する。
【００３６】
ＲＴＣ１０４は、水晶振動子や発振回路などを備える計時用のデバイスである。ＲＴＣ１０４は、内蔵電池から電源を供給され、音響パラメータ設定装置１００の電源がオフのときでも動作し続ける。
【００３７】
無線通信部１０５は、音響パラメータ設定装置１００と基地局２００とを無線通信により接続するためのインターフェースである。
【００３８】
音声処理部１０６は、ＣＰＵ１０１から供給されたディジタルオーディオ信号をＤ／Ａ（Digital/Analog）コンバータ（図示せず）でアナログオーディオ信号に変換して、スピーカ１０７に出力する。ここで、図２を参照して、音声処理部１０６の構成について説明する。
【００３９】
図２に示すように、音声処理部１０６は、音声通信部２０１、音声制御部２０２、フィルタ係数記憶部２０３、遅延量記憶部２０４、増幅率記憶部２０５、音声データ変換部２０６、イコライザ部２０７、遅延部２０８、増幅部２０９を備える。なお、イコライザ部２０７は、イコライザ部２０７ＦＬ、イコライザ部２０７ＲＬ、イコライザ部２０７ＦＲ、イコライザ部２０７ＲＲの総称である。また、遅延部２０８は、遅延部２０８ＦＬ、遅延部２０８ＲＬ、遅延部２０８ＦＲ、遅延部２０８ＲＲの総称である。そして、増幅部２０９は、増幅部２０９ＦＬ、増幅部２０９ＲＬ、増幅部２０９ＦＲ、増幅部２０９ＲＲの総称である。
【００４０】
また、音声処理部１０６は、スピーカ１０７ＦＬ、スピーカ１０７ＲＬ、スピーカ１０７ＦＲ、スピーカ１０７ＲＲのそれぞれに、アナログオーディオ信号を供給する。ここで、スピーカ１０７ＦＬは、車両の前方左側に設置されるスピーカであり、スピーカ１０７ＲＬは、車両の後方左側に設置されるスピーカであり、スピーカ１０７ＦＲは、車両の前方右側に設置されるスピーカであり、スピーカ１０７ＲＲは、車両の後方右側に設置されるスピーカである。ユーザが所望する音響空間を車室内に実現するためには、これらの４つのスピーカに供給されるアナログオーディオ信号は、互いに異なるものであることが望ましい。
【００４１】
音声通信部２０１は、ハードディスク１０９に記憶されている楽曲データをバス１２０を介して取得し、音声データ変換部２０６に供給する。また、音声通信部２０１は、ＲＡＭ１０３などに記憶されている設定値をバス１２０を介して取得し、音声制御部２０２に供給する。
【００４２】
音声制御部２０２は、音声通信部２０１から供給された、フィルタ係数と遅延量と増幅率とを含む設定値に基づいて、スピーカ１０７に供給されるアナログオーディオ信号を調整する。具体的には、音声制御部２０２は、供給されたフィルタ係数をフィルタ係数記憶部２０３に供給し、供給された遅延量を遅延量記憶部２０４に供給し、供給された増幅率を増幅率記憶部２０５に供給する。なお、本実施形態では、「設定値」、「フィルタ係数」、「遅延量」、「増幅率」などのデータを示す情報のことを、適宜、単に、「設定値」、「フィルタ係数」、「遅延量」、「増幅率」という。これらのデータは、数値、文字列、記号など、どのようなものにより表現されても良い。
【００４３】
フィルタ係数記憶部２０３は、音声制御部２０２から供給されたフィルタ係数を記憶する。フィルタ係数記憶部２０３に記憶されたフィルタ係数は、イコライザ部２０７により参照される。つまり、フィルタ係数記憶部２０３に記憶されたフィルタ係数は、イコライザ部２０７が増幅又は減衰させるアナログオーディオ信号の周波数帯域の範囲や、イコライザ部２０７がアナログオーディオ信号を増幅又は減衰させる程度を決定する。フィルタ係数記憶部２０３には、イコライザ部２０７ＦＬにより参照されるフィルタ係数と、イコライザ部２０７ＦＲにより参照されるフィルタ係数と、イコライザ部２０７ＲＬにより参照されるフィルタ係数と、イコライザ部２０７ＲＲにより参照されるフィルタ係数と、が記憶される。フィルタ係数記憶部２０３は、例えば、フラッシュメモリを含む。
【００４４】
遅延量記憶部２０４は、音声制御部２０２から供給された遅延量を記憶する。遅延量記憶部２０４に記憶された遅延量は、遅延部２０８により参照される。つまり、遅延量記憶部２０４に記憶された遅延量は、遅延部２０８がアナログオーディオ信号を遅延する程度を決定する。遅延量記憶部２０４には、遅延部２０８ＦＬにより参照される遅延量と、遅延部２０８ＦＲにより参照される遅延量と、遅延部２０８ＲＬにより参照される遅延量と、遅延部２０８ＲＲにより参照される遅延量と、が記憶される。遅延量記憶部２０４は、例えば、フラッシュメモリを含む。
【００４５】
増幅率記憶部２０５は、音声制御部２０２から供給された増幅率を記憶する。増幅率記憶部２０５に記憶された増幅率は、増幅部２０９により参照される。つまり、増幅率記憶部２０５に記憶された増幅率は、増幅部２０９がアナログオーディオ信号を増幅する程度を決定する。増幅率記憶部２０５には、増幅部２０９ＦＬにより参照される増幅率と、増幅部２０９ＦＲにより参照される増幅率と、増幅部２０９ＲＬにより参照される増幅率と、増幅部２０９ＲＲにより参照される増幅率と、が記憶される。増幅率記憶部２０５は、例えば、フラッシュメモリを含む。
【００４６】
音声データ変換部２０６は、音声通信部２０１から供給されたディジタルオーディオ信号をアナログオーディオ信号に変換し、イコライザ部２０７に供給する。音声データ変換部２０６は、左側のスピーカ用のアナログオーディオ信号を、イコライザ部２０７ＦＬとイコライザ部２０７ＲＬとに供給し、右側のスピーカ用のアナログオーディオ信号を、イコライザ部２０７ＦＲとイコライザ部２０７ＲＲとに供給する。音声データ変換部２０６は、例えば、Ｄ／Ａ変換器を備える。
【００４７】
イコライザ部２０７は、フィルタ係数記憶部２０３に記憶されているフィルタ係数に従って、音声データ変換部２０６から供給されたアナログオーディオ信号の周波数特性を変化させ、周波数特性の変化後のアナログオーディオ信号を遅延部２０８に供給する。アナログオーディオ信号の周波数特性を変化させることは、アナログオーディオ信号を周波数帯域毎に増加又は減衰させることを意味する。イコライザ部２０７は、例えば、通過帯域の中心周波数が互いに異なる複数の帯域通過フィルタと、複数の帯域通過フィルタのそれぞれにアナログオーディオ信号を分配する分配器と、複数の帯域通過フィルタのそれぞれから出力されるアナログオーディオ信号を合成する混合器とを備える。
【００４８】
イコライザ部２０７ＦＬは、周波数特性の変化後のアナログオーディオ信号を遅延部２０８ＦＬに供給する。イコライザ部２０７ＲＬは、周波数特性の変化後のアナログオーディオ信号を遅延部２０８ＲＬに供給する。イコライザ部２０７ＦＲは、周波数特性の変化後のアナログオーディオ信号を遅延部２０８ＦＲに供給する。イコライザ部２０７ＲＲは、周波数特性の変化後のアナログオーディオ信号を遅延部２０８ＲＲに供給する。
【００４９】
遅延部２０８は、遅延量記憶部２０４に記憶されている遅延量に従って、イコライザ部２０７から供給されたアナログオーディオ信号を遅延させて増幅部２０９に供給する。遅延部２０８ＦＬは、遅延後のアナログオーディオ信号を増幅部２０９ＦＬに供給する。遅延部２０８ＲＬは、遅延後のアナログオーディオ信号を増幅部２０９ＲＬに供給する。遅延部２０８ＦＲは、遅延後のアナログオーディオ信号を増幅部２０９ＦＲに供給する。遅延部２０８ＲＲは、遅延後のアナログオーディオ信号を増幅部２０９ＲＲに供給する。
【００５０】
増幅部２０９は、増幅率記憶部２０５に記憶されている増幅率に従って、遅延部２０８から供給されたアナログオーディオ信号を増幅させてスピーカ１０７に供給する。増幅部２０９ＦＬは、増幅後のアナログオーディオ信号をスピーカ１０７ＦＬに供給する。増幅部２０９ＦＲは、増幅後のアナログオーディオ信号をスピーカ１０７ＦＲに供給する。増幅部２０９ＲＬは、増幅後のアナログオーディオ信号をスピーカ１０７ＲＬに供給する。増幅部２０９ＲＲは、増幅後のアナログオーディオ信号をスピーカ１０７ＲＲに供給する。
【００５１】
以上示した音声処理部１０６の音声処理により、スピーカ１０７ＦＬ、スピーカ１０７ＦＲ、スピーカ１０７ＲＬ、スピーカ１０７ＲＲのそれぞれからは、フィルタ係数、遅延量、増幅率などの設定値に従って周波数特性、遅延時間、音量が調整された音声が出力される。
なお、各イコライザ部２０７の前段で、ディジタルオーディオ信号をアナログオーディオ信号に変換して、アナログ処理で調整する例について説明したが、一部又は全ての調整をディジタル処理によって行ってもよい。例えば、各遅延部と各増幅部との間でディジタルオーディオ信号をアナログオーディオ信号に変換し、増幅処理以外はディジタル処理で行ってもよい。
【００５２】
操作部１０８は、ボタン、キー、レバー、ボリュームスイッチなどを備える。操作部１０８は、ボタン、キー、レバー、ボリュームスイッチなどにより受け付けられた操作に基づいて、当該操作に基づく信号を生成し、ＣＰＵ１０１に供給する。
【００５３】
ハードディスク１０９には、楽曲データなどが記憶される。音響パラメータ設定装置１００は、ハードディスク１０９に代えて、楽曲データなどが記憶されているＤＶＤ−ＲＯＭ（Digital Versatile Disk-Read Only Memory）が装着されるＤＶＤドライブを備えていても良い。また、音響パラメータ設定装置１００は、ハードディスク１０９に代えて、フラッシュメモリ等を備えていてもよい。
【００５４】
画像処理部１１０は、ＣＰＵ１０１による制御のもと、タッチスクリーン１１２に表示させる画像を生成する。画像処理部１１０は、生成された画像をタッチスクリーン１１２に供給する。
【００５５】
タッチ操作検知部１１１は、タッチスクリーン１１２に対してなされたタッチ操作を検知し、検知結果をＣＰＵ１０１に供給する。なお、検知結果は、例えば、ユーザによりタッチされているタッチスクリーン１１２上における座標情報である。
【００５６】
タッチスクリーン１１２は、画像処理部１１０から供給された画像を表示するとともに、ユーザによるタッチ操作を受け付ける。タッチスクリーン１１２は、例えば、ＬＣＤ（Liquid Crystal Display）などの表示装置と、タッチパッドのような位置入力装置と、を備える。
【００５７】
次に、図３を参照して、サーバ３００の物理的な構成について説明する。図３に示すように、サーバ３００は、ＣＰＵ３０１、ＲＯＭ３０２、ＲＡＭ３０３、ＮＩＣ（Network Interface Card）３０４、ハードディスク３０５、ＲＴＣ３０６、を備える。サーバ３００が備えるこれらの構成要素は、バス３２０により相互に接続される。
【００５８】
ＣＰＵ３０１は、サーバ３００の全体の動作を制御する。なお、ＣＰＵ３０１は、例えばＲＯＭ３０２に格納されているプログラムに従って動作し、ＲＡＭ３０３をワークエリアとして使用する。
【００５９】
ＲＯＭ３０２には、サーバ３００の全体の動作を制御するためのプログラムやデータが記憶される。
【００６０】
ＲＡＭ３０３は、ＣＰＵ３０１のワークエリアとして機能する。つまり、ＣＰＵ３０１は、ＲＡＭ３０３にプログラムやデータを一時的に書き込み、これらのプログラムやデータを適宜参照する。
【００６１】
ＮＩＣ３０４は、サーバ３００を電気通信網４００に接続するためのインターフェースである。ＮＩＣ３０４は、例えば、ＬＡＮ（Local Area Network）を構成する際に用いられる１０ＢＡＳＥ−Ｔ／１００ＢＡＳＥ−Ｔ規格に従うインターフェース（図示せず）を含む。あるいは、ＮＩＣ３０４は、電話回線を用いて電気通信網４００に接続するためのアナログモデム、ＩＳＤＮ（Integrated Services Digital Network）モデム、ＡＤＳＬ（Asymmetric Digital Subscriber Line Modem）モデム、ケーブルテレビジョン回線を用いて電気通信網４００に接続するためのケーブルモデム等と、ＣＰＵ３０１との仲立ちを行うインターフェース（図示せず）を含む。
【００６２】
ハードディスク３０５には、過去に設定されたことがある設定値や推奨される設定値などが記憶される。
【００６３】
ＲＴＣ３０６は、水晶振動子や発振回路などを備える計時用のデバイスである。ＲＴＣ３０６は、内蔵電池から電源を供給され、サーバ３００の電源がオフのときでも動作し続ける。
【００６４】
次に、図４を参照して、本実施形態に係る音響パラメータ設定装置１００の基本的な機能について説明する。図４に示すように、音響パラメータ設定装置１００は、機能的には、環境情報記憶部１１、設定値記憶部１２、送信部１３、取得部１４、設定部１５を備える。
【００６５】
環境情報記憶部１１は、環境情報を記憶する。環境情報は、例えば、機種特定情報と車種特定情報とユーザ特定情報とを含む情報である。機種特定情報は、設定対象の音響装置の機種を特定する情報を含む情報である。機種特定情報は、例えば、音響装置の機種や型番を示す文字列や数値により表される。車種特定情報は、設定対象の音響装置が搭載されている車両の車種を特定する情報を含む情報である。車種特定情報は、例えば、車両の車種や型番を示す文字列や数値により表される。ユーザ特定情報は、設定対象の音響装置のユーザを特定する情報を含む情報である。ユーザ特定情報は、例えば、ユーザの氏名、生年月日、住所、電話番号、免許証の番号、保険証の番号、パスポート番号などを示す文字列や数値により表される。環境情報記憶部１１は、例えば、ハードディスク１０９を含む。
【００６６】
設定値記憶部１２は、設定対象の音響装置に設定されている音響パラメータの設定値を特定する情報を含む設定値特定情報を記憶する。設定値は、例えば、スピーカ１０７毎のフィルタ係数、遅延量、増幅率である。設定値記憶部１２は、例えば、フィルタ係数記憶部２０３と遅延量記憶部２０４と増幅率記憶部２０５とを含む。
【００６７】
送信部１３は、機種特定情報と車種特定情報とユーザ特定情報と設定値特定情報とを、通信ネットワークを介して音響パラメータ設定装置１００と接続されたサーバ３００に送信する。つまり、送信部１３は、環境情報を送信する。送信部１３は、例えば、ＣＰＵ１０１と無線通信部１０５とを含む。
【００６８】
送信部１３は、例えば、ＣＰＵ１０１が設定値を変更すべきであると判別したことに応答して、上記情報の送信を実行する。つまり、ＣＰＵ１０１は、例えば、設定値を変更する旨のユーザの指示が操作部１０８やタッチ操作検知部１１１により受け付けられたことを検知した場合、あるいは、音響パラメータ設定装置１００の電源が投入されたことを検知した場合に、送信部１３に上記情報の送信を実行させる。
【００６９】
取得部１４は、機種特定情報により特定される機種に対応付けられた関連機種の音響装置が、車種特定情報により特定される車種に対応付けられた関連車種の車両に搭載された状態において、関連車種の車両に搭載された関連機種の音響装置に設定された音響パラメータの設定値の履歴情報に基づいて決定される所定個数の設定値を取得する。
【００７０】
関連機種と機種特定情報により特定される機種とは、音響特性を互いに導き出すことができる関係にある。関連機種は、音響パラメータが設定される音響装置の機種に予め対応付けられた機種である。本実施形態では、関連機種は、音響パラメータが設定される音響装置の機種と同一の機種に限られるものとする。関連機種としては、同一の機種の他に、単に色違いの機種や、同じスピーカを使用している機種などが考えられる。
【００７１】
関連車種は、車体形状や使用形態が、車種特定情報により特定される車種と同一の分類に属する機種である。関連車種は、音響パラメータが設定される音響装置が搭載された車両の車種に予め対応付けられた車種である。本実施形態では、関連車種は、音響パラメータが設定される音響装置が搭載された車両の車種と同一の車種に限られるものとする。関連車種としては、同一の車種の他に、単に色違いの車種や、同じシャーシを使用している車種などが考えられる。
【００７２】
履歴情報は、過去に設定されたことのある設定値の履歴を示す情報である。本実施形態では、履歴情報は、関連車種の車両に搭載された関連機種の音響装置に設定された回数を、設定値毎に特定する情報を含む。
【００７３】
本実施形態では、取得部１４は、ユーザ特定情報により特定されるユーザに対応付けられた履歴情報が存在する場合、このユーザに対応付けられた履歴情報に基づいて決定される所定個数の設定値を取得する。一方、取得部１４は、ユーザ特定情報により特定されるユーザに対応付けられた履歴情報が存在しない場合、このユーザ以外のユーザに対応付けられた履歴情報に基づいて決定される所定個数の設定値を取得する。また、本実施形態では、取得部１４は、関連車種の車両に搭載された関連機種の音響装置に設定された回数が多い順に選択された所定個数の設定値を取得する。取得部１４は、例えば、ＣＰＵ１０１と無線通信部１０５とを含む。
【００７４】
設定部１５は、取得された所定個数の設定値から選択されるいずれかの設定値を、設定対象の音響装置に設定する。設定部１５は、例えば、指定受付部１６と設定値設定部１７とを備える。
【００７５】
指定受付部１６は、取得された所定個数の設定値のうちのいずれかの指定を受け付ける。指定受付部１６は、例えば、取得された所定個数の設定値を提示する画面を表示する。そして、指定受付部１６は、例えば、画面に表示された所定個数の設定値のうち、ユーザにより選択されたいずれかの設定値の指定をユーザから受け付ける。指定受付部１６は、例えば、ＣＰＵ１０１と画像処理部１１０とタッチ操作検知部１１１とタッチスクリーン１１２とを含む。
【００７６】
設定値設定部１７は、受け付けられた指定により指定された設定値を、設定対象の音響装置に設定する。具体的には、設定値設定部１７は、指定された設定値が示すフィルタ係数をフィルタ計数記憶部２０３に記憶させ、指定された設定値が示す遅延量を遅延量記憶部２０４に記憶させ、指定された設定値が示す増幅率を増幅率記憶部２０５に記憶させる。設定値設定部１７は、例えば、ＣＰＵ１０１を含む。
【００７７】
次に、図５を参照して、本実施形態に係るサーバ３００の基本的な機能について説明する。図５に示すように、サーバ３００は、機能的には、記憶部３１、受信部３２、抽出部３３、決定部３４、送信部３５、登録部３６、を備える。
【００７８】
記憶部３１は、過去に設定された音響パラメータの設定値の履歴情報を記憶する。履歴情報は、機種特定情報と車種特定情報と設定値特定情報とユーザ特定情報と登録時刻とが相互に対応付けられた情報である。履歴情報については、図６を参照して、詳細に説明する。
【００７９】
履歴情報は、図６に模式的に示すように、機種特定情報に対応するフィールドＦＭと、車種特定情報に対応するフィールドＦＣと、設定値特定情報に対応するフィールドＦＰと、ユーザ特定情報に対応するフィールドＦＹと、登録時刻に対応するフィールドＦＴと、を含むレコードにより構成される。図６は、履歴情報が、レコードＲ１〜レコードＲ５の５つのレコードを含む例を示している。
【００８０】
レコードＲ１は、Ｍ００１により特定される機種の音響装置が、Ｃ００１により特定される車種の車両に搭載されているときに、Ｙ００１により特定されるユーザによって、ＰＡ００１、ＰＢ００１、ＰＣ００１により特定される設定値が設定されたことが、Ｔ００１により特定される時刻に履歴情報として追加されたことを示す。
【００８１】
レコードＲ２は、Ｍ００２により特定される機種の音響装置が、Ｃ００２により特定される車種の車両に搭載されているときに、Ｙ００２により特定されるユーザによって、ＰＡ００２、ＰＢ００２、ＰＣ００２により特定される設定値が設定されたことが、Ｔ００２により特定される時刻に履歴情報として追加されたことを示す。
【００８２】
レコードＲ３は、Ｍ００３により特定される機種の音響装置が、Ｃ００３により特定される車種の車両に搭載されているときに、Ｙ００３により特定されるユーザによって、ＰＡ００３、ＰＢ００３、ＰＣ００３により特定される設定値が設定されたことが、Ｔ００３により特定される時刻に履歴情報として追加されたことを示す。
【００８３】
レコードＲ４は、Ｍ００１により特定される機種の音響装置が、Ｃ００１により特定される車種の車両に搭載されているときに、Ｙ００１により特定されるユーザによって、ＰＡ００１、ＰＢ００１、ＰＣ００１により特定される設定値が設定されたことが、Ｔ００４により特定される時刻に履歴情報として追加されたことを示す。レコードＲ１とレコードＲ４との関係により、同一車種の車両に搭載された同一機種の音響装置に、同一のユーザにより、同一の設定値が設定されていることが分かる。レコードＲ１とレコードＲ４とからは、例えば、設定値の変更要求がなされたが設定値が変更されず、その後、再度、設定値の変更要求がなされたことが分かる。
【００８４】
レコードＲ５は、Ｍ００２により特定される機種の音響装置が、Ｃ００２により特定される車種の車両に搭載されているときに、Ｙ００２により特定されるユーザによって、ＰＡ００５、ＰＢ００５、ＰＣ００５により特定される設定値が設定されたことが、Ｔ００５により特定される時刻に履歴情報として追加されたことを示す。レコードＲ１とレコードＲ５との関係により、同一車種の車両に搭載された同一機種の音響装置に、同一のユーザにより、互いに異なる設定値が設定されていることが分かる。レコードＲ１とレコードＲ５とからは、例えば、設定値の変更要求がなされて設定値が変更され、その後、再度、設定値の変更要求がなされたことを示す。
【００８５】
受信部３２は、通信ネットワークを介してサーバと相互に接続された音響パラメータ設定装置１００から、機種特定情報と車種特定情報と設定値情報とユーザ特定情報とを受信する。受信部３２は、例えば、ＣＰＵ３０１とＮＩＣ３０４とを含む。
【００８６】
抽出部３３は、受信された機種特定情報により特定される機種に対応付けられた関連機種の音響装置が、受信された車種特定情報により特定される車種に対応付けられた関連車種の車両に搭載された状態において、関連車種の車両に搭載された関連機種の音響装置に設定された音響パラメータの設定値の履歴情報を記憶部３１から抽出する。
【００８７】
なお、本実施形態では、抽出部３３は、ユーザ特定情報により特定されるユーザに対応付けられた履歴情報が存在すると判別した場合、このユーザに対応付けられた履歴情報を記憶部３１から取得する。例えば、ユーザ特定情報により特定されるユーザがＹ００１である場合、抽出部３３は、レコードＲ１とレコードＲ４とを含む履歴情報を記憶部３１から取得する。
【００８８】
一方、抽出部３３は、ユーザ特定情報により特定されるユーザに対応付けられた履歴情報が存在しないと判別した場合、このユーザ以外のユーザに対応付けられた履歴情報を記憶部３１から取得する。例えば、ユーザ特定情報により特定されるユーザがＹ００６である場合、抽出部３３は、レコードＲ１〜レコードＲ５を含む履歴情報を記憶部３１から取得する。抽出部３３は、例えば、ＣＰＵ３０１を含む。
【００８９】
決定部３４は、抽出された履歴情報に基づいて所定個数の設定値を決定する。本実施形態では、決定部３４は、関連車種の車両に搭載された関連機種の音響装置に設定された回数が多い順に選択された所定個数の設定値を決定する。所定個数は、１以上の整数により表される個数であれば何個でもよい。
【００９０】
従って、例えば、ユーザ特定情報により特定されるユーザがＹ００１、機種特定情報により特定される機種がＭ００１、車種特定情報により特定される車種がＣ００１である場合、決定部３４は、過去に設定された回数が２回で最多である、ＰＡ００１、ＰＢ００１、ＰＣ００１の組み合わせにより表される１個の設定値を決定する。
【００９１】
また、例えば、ユーザ特定情報により特定されるユーザがＹ００２、機種特定情報により特定される機種がＭ００２、車種特定情報により特定される車種がＣ００２である場合、決定部３４は、過去に設定された回数が１回で最多同順位である、ＰＡ００２、ＰＢ００２、ＰＣ００２の組み合わせにより表される設定値と、ＰＡ００５、ＰＢ００５、ＰＣ００５の組み合わせにより表される設定値との２個の設定値を決定する。決定部３４は、例えば、ＣＰＵ３０１を含む。
【００９２】
送信部３５は、決定された所定個数の設定値を示す情報を、音響パラメータ設定装置１００に送信する。送信部３５は、例えば、ＣＰＵ３０１とＮＩＣ３０４とを含む。
【００９３】
登録部３６は、受信された、機種特定情報と車種特定情報と設定値特定情報とユーザ特定情報と登録時刻と、を、相互に対応付けて、記憶部３１に登録する。なお、ＣＰＵ３０１は、ＲＴＣ３０６を参照することにより登録時刻を取得することができる。登録部３６は、例えば、ＣＰＵ３０１とＲＴＣ３０６とを含む。
【００９４】
次に、図７に示すフローチャートを参照して、本実施形態に係る音響パラメータ設定装置１００が実行する音響パラメータ設定処理について説明する。なお、音響パラメータ設定装置１００は、ユーザによりなされた音響パラメータの変更指示を検知したことや電源が投入されたことを検知した場合に、音響パラメータ設定処理を実行する。
【００９５】
まず、ＣＰＵ１０１は、環境情報と設定値とを送信する（ステップＳ１０１）。具体的には、ＣＰＵ１０１は、ハードディスク１０９に記憶されている、機種特定情報と車種特定情報とユーザ特定情報と、フィルタ係数記憶部２０３に記憶されているフィルタ係数と、遅延量記憶部２０４に記憶されている遅延量と、増幅率記憶部２０５に記憶されている増幅率と、を、無線通信部１０５に供給する。一方、無線通信部１０５は、ＣＰＵ１０１から供給された環境情報と設定値とを、基地局２００を介して、サーバ３００に送信する。
【００９６】
なお、機種特定情報、車種特定情報、ユーザ特定情報などの環境情報は、ユーザが操作部１０８やタッチスクリーン１１２を操作することにより、予めハードディスク１０９に記憶されているものとする。なお、操作部１０８やタッチスクリーン１１２に、環境情報を登録するための操作がなされた場合、操作部１０８やタッチ操作検知部１１１からＣＰＵ１０１に、制御信号が供給される。ＣＰＵ１０１は、制御信号に従って、環境情報をハードディスク１０９に登録する。
【００９７】
ＣＰＵ１０１は、ステップＳ１０１の処理を完了すると、サーバ３００から所定個数の設定値を受信したか否かを判別する（ステップＳ１０２）。例えば、ＣＰＵ１０１は、無線通信部１０５の受信状態を監視して、所定個数の設定値がサーバ３００から無線通信部１０５に供給されたか否かを判別する。
【００９８】
ＣＰＵ１０１は、サーバ３００から所定個数の設定値を受信していないと判別すると（ステップＳ１０２：ＮＯ）、音響パラメータの設定処理を終了する。なお、ＣＰＵ１０１は、環境情報と設定値とをサーバ３００に送信してから所定の時間が経過するまでの所定期間に所定個数の設定値を受信したことを検知しなかった場合のみならず、該当する設定値がない旨をこの所定期間にサーバ３００から受信したことを検知した場合も、音響パラメータの設定処理を終了する。
【００９９】
一方、ＣＰＵ１０１は、サーバ３００から所定個数の設定値を受信したと判別すると（ステップＳ１０２：ＹＥＳ）、所定個数の設定値をユーザに提示する（ステップＳ１０３）。具体的には、ＣＰＵ１０１は、画像処理部１１０と協働して、それぞれがフィルタ係数と遅延量と増幅率との組により表される所定個数の設定値を表す画像を生成し、生成した画像をタッチスクリーン１１２に供給する。一方、ユーザは、タッチスクリーン１１２に表示された画像を見て、所定個数の設定値のうち、理想の音場を実現するのに最適であると考える設定値を選択する。
【０１００】
なお、提示された所定個数の設定値のそれぞれにより実現される音場がどのようなものになるかをユーザが把握し易くなるように、ユーザにより仮に選択されている設定値に基づいて生成された音声が、スピーカ１０７から出力されるように構成してもよい。
【０１０１】
ＣＰＵ１０１は、ステップＳ１０３の処理を終了すると、設定値の指定があるか否かを判別する（ステップＳ１０４）。具体的には、ＣＰＵ１０１は、ユーザにより、いずれかの設定値が、操作部１０８やタッチ操作検知部１１１に指定されたか否かを判別する。例えば、ＣＰＵ１０１は、タッチスクリーン１１２上においていずれかの設定値を示す画像が仮選択状態とされている状態において、タッチスクリーン１１２に表示されている決定ボタン画像に対応する領域がユーザによりタッチされたことを検知した場合、設定値の指定があると判別する。
【０１０２】
ＣＰＵ１０１は、設定値の指定がないと判別すると（ステップＳ１０４：ＮＯ）、音響パラメータの設定処理を終了する。例えば、ＣＰＵ１０１は、所定個数の設定値をユーザに提示してから所定の時間が経過するまでの所定期間にユーザによりどの設定値の指定もされなかった場合のみならず、この所定期間にユーザにより設定値を更新しない旨の指定がされた場合、設定値の指定がないと判別する。
【０１０３】
一方、ＣＰＵ１０１は、設定値の指定があると判別すると（ステップＳ１０４：ＹＥＳ）、指定された設定値を音響装置に設定する（ステップＳ１０５）。具体的には、ＣＰＵ１０１は、指定された設定値が示すフィルタ係数をフィルタ係数記憶部２０３に記憶させ、指定された設定値が示す遅延量を遅延量記憶部２０４に記憶させ、指定された設定値が示す増幅率を増幅率記憶部２０５に記憶させる。ＣＰＵ１０１は、ステップＳ１０５の処理を終了すると、音響パラメータの設定処理を終了する。
【０１０４】
次に、図８に示すフローチャートを参照して、サーバ３００が実行する音響パラメータ候補取得処理について説明する。なお、サーバ３００は、電源が投入されている間、音響パラメータ候補取得処理を繰り返して実行する。
【０１０５】
まず、ＣＰＵ３０１は、音響パラメータ設定装置１００から環境情報と設定値とを受信したか否かを判別する（ステップＳ２０１）。具体的には、ＣＰＵ３０１は、ＮＩＣ３０４を監視し、環境情報と設定値とが受信されたか否かを判別する。
【０１０６】
ＣＰＵ３０１は、音響パラメータ設定装置１００から環境情報と設定値とを受信していないと判別すると（ステップＳ２０１：ＮＯ）、ステップＳ２０１に処理を戻す。つまり、ＣＰＵ３０１は、音響パラメータ設定装置１００から環境情報と設定値とを受信していないと判別している間、環境情報と設定値とを受信するために待機する。
【０１０７】
一方、ＣＰＵ３０１は、音響パラメータ設定装置１００から環境情報と設定値とを受信したと判別すると（ステップＳ２０１：ＹＥＳ）、同一ユーザの履歴情報があるか否かを判別する（ステップＳ２０２）。具体的には、ＣＰＵ３０１は、例えば、受信した環境情報に含まれるユーザ特定情報により特定されるユーザと同一のユーザを特定するユーザ特定情報を含むレコード（履歴情報）が、ハードディスク１０９に記憶されているか否かを判別する。なお、ユーザは、氏名、生年月日、住所、電話番号、免許証の番号、保険証の番号、パスポート番号などを示す文字列や数値により特定される。
【０１０８】
ＣＰＵ３０１は、同一ユーザの履歴情報があると判別すると（ステップＳ２０２：ＹＥＳ）、同一ユーザの履歴情報に、同一機種及び同一車種の履歴情報があるか否かを判別する（ステップＳ２０３）。具体的には、ＣＰＵ３０１は、同一ユーザの履歴情報を構成するレコードの中に、受信した環境情報に含まれる機種特定情報により特定される機種と同一の機種を特定する機種特定情報と、受信した環境情報に含まれる車種特定情報により特定される車種と同一の車種を特定する車種特定情報と、の双方を含むレコード（履歴情報）があるか否かを判別する。
【０１０９】
ＣＰＵ３０１は、同一ユーザの履歴情報に、同一機種及び同一車種の履歴情報があると判別すると（ステップＳ２０３：ＹＥＳ）、同一ユーザ、同一機種及び同一車種の履歴情報を抽出する（ステップＳ２０４）。具体的には、ＣＰＵ３０１は、同一ユーザ、同一機種及び同一車種の履歴情報をハードディスク１０９から読み出し、ＲＡＭ３０３に記憶させる。
【０１１０】
ＣＰＵ３０１は、ステップＳ２０４もしくはステップＳ２０９の処理を終了すると、設定回数が多い順に所定個数の設定値を取得する（ステップＳ２０５）。具体的には、ＣＰＵ３０１は、例えば、ＲＡＭ３０３に記憶されている履歴情報に含まれる全てのレコードについて、設定値特定情報により特定される設定値が他のレコードと重複するか否かを判別することにより、ＲＡＭ３０３に記憶されている履歴情報に含まれる全ての設定値について、設定回数を取得する。そして、ＣＰＵ３０１は、取得された設定回数が多い設定値から順に、所定個数の設定値を選択する。所定個数は、１以上の整数であればどんな個数であってもよい。
【０１１１】
ＣＰＵ３０１は、ステップＳ２０５の処理を終了すると、取得された所定個数の設定値を送信する（ステップＳ２０６）。具体的には、ＣＰＵ３０１は、それぞれが、取得された所定個数の設定値のいずれかを特定する所定個数の設定値特定情報を、ＮＩＣ３０４に供給する。一方、ＮＩＣ３０４は、ＣＰＵ３０１から供給された所定個数の設定値特定情報を、電気通信網４００を介して、音響パラメータ設定装置１００に送信する。
【０１１２】
ＣＰＵ３０１は、ステップＳ２０６もしくはステップＳ２１０の処理を終了すると、環境情報と設定値とを対応付けて登録する（ステップＳ２０７）。具体的には、ＣＰＵ３０１は、受信された環境情報に含まれる機種特定情報と、受信された環境情報に含まれる車種特定情報と、受信された環境情報に含まれるユーザ特定情報と、受信された設定値特定情報と、現在時刻と、を相互に対応付けて、ハードディスク１０９に記憶させる。なお、ＣＰＵ３０１は、ＲＴＣ３０６を参照することにより、現在時刻を取得することができる。ＣＰＵ３０１は、ステップＳ２０７の処理を終了すると、音響パラメータ候補取得処理を終了する。
【０１１３】
ＣＰＵ３０１は、同一ユーザの履歴情報がないと判別すると（ステップＳ２０２：ＮＯ）、非同一ユーザの履歴情報に、同一機種及び同一車種の履歴情報があるか否かを判別する（ステップＳ２０８）。具体的には、ＣＰＵ３０１は、ハードディスク１０９に記憶された全ての履歴情報から同一ユーザの履歴情報が除外された履歴情報を構成するレコードの中に、受信した環境情報に含まれる機種特定情報により特定される機種と同一の機種を特定する機種特定情報と、受信した環境情報に含まれる車種特定情報により特定される車種と同一の車種を特定する車種特定情報と、の双方を含むレコード（履歴情報）があるか否かを判別する。
【０１１４】
ＣＰＵ３０１は、非同一ユーザの履歴情報に、同一機種及び同一車種の履歴情報があると判別すると（ステップＳ２０８：ＹＥＳ）、非同一ユーザ、同一機種及び同一車種の履歴情報を抽出する（ステップＳ２０９）。具体的には、ＣＰＵ３０１は、非同一ユーザ、同一機種及び同一車種の履歴情報をハードディスク１０９から読み出し、ＲＡＭ３０３に記憶させる。
【０１１５】
一方、ＣＰＵ３０１は、同一ユーザの履歴情報に、同一機種及び同一車種の履歴情報がないと判別した場合（ステップＳ２０３：ＮＯ）、もしくは、非同一ユーザの履歴情報に、同一機種及び同一車種の履歴情報がないと判別した場合（ステップＳ２０８：ＮＯ）、該当する設定値がない旨を送信する（ステップＳ２１０）。具体的には、ＣＰＵ３０１は、該当する設定値がない旨を示す情報を、ＮＩＣ３０４に供給する。一方、ＮＩＣ３０４は、ＣＰＵ３０１から供給された該当する設定値がない旨を示す情報を、電気通信網４００を介して、音響パラメータ設定装置１００に送信する。
【０１１６】
本実施形態によれば、同一の機種の音響装置が、同一の車種の車両に搭載されている状態において、過去に設定された回数が比較的多い設定値、もしくは、過去に設定された期間が比較的長い設定値が設定されることが期待される。このため、音響装置に設定値を設定しようとしているユーザを含む全てのユーザに好んで使用されている設定値が、この音響装置に設定されることが期待される。
【０１１７】
また、本実施形態によれば、設定値を設定しようとしているユーザが、過去に、同一の機種の音響装置が、同一の車種の車両に搭載されている状態において、設定値を設定したことがある場合、過去に設定された回数が比較的多い設定値、もしくは、過去に設定された期間が比較的長い設定値が設定されることが期待される。このため、音響装置に設定値を設定しようとしているユーザに好んで使用されている設定値が、この音響装置に設定されることが期待される。
【０１１８】
（第２の実施形態）
第１の実施形態では、履歴情報から設定値の候補が選択される際に、履歴情報に含まれる設定値が誰により設定されたのかが重視される例について説明した。しかし、履歴情報から設定値の候補が選択される際に、どのような要素を重視されるかは適宜調整が可能である。以下、履歴情報から設定値の候補が選択される際に、履歴情報に含まれる設定値がどの機種の音響装置に対して設定されたものであるのかが重視される例について説明する。なお、第２の実施形態に係る音響パラメータ設定装置１００やサーバ３００は、基本的には、第１の実施形態に係る音響パラメータ設定装置１００やサーバ３００と同様の構成である。従って、以下の説明では、第１の実施形態と異なる部分を中心に説明する。
【０１１９】
本実施形態では、取得部１４は、機種特定情報により特定される機種に対応付けられた履歴情報が存在する場合、機種特定情報により特定される機種に対応付けられた履歴情報に基づいて決定される所定個数の設定値を取得する。一方、取得部１４は、機種特定情報により特定される機種に対応付けられた履歴情報が存在しない場合、機種特定情報により特定される機種以外の関連機種に対応付けられた履歴情報に基づいて決定される所定個数の設定値を取得する。
【０１２０】
また、取得部１４は、関連車種の車両に搭載された関連機種の音響装置に最後に設定された時刻が遅い順に選択された所定個数の設定値を取得する。
【０１２１】
また、本実施形態では、履歴情報は、関連車種の車両に搭載された関連機種の音響装置に最後に設定された時刻を、設定値毎に特定する情報を含む。なお、本実施形態では、関連車種は、音響パラメータが設定される音響装置が搭載された車両の車種と同一の車種に限られるものとする。一方、本実施形態では、関連機種は、音響パラメータが設定される音響装置の機種と同一の機種に限られないものとする。
【０１２２】
従って、本実施形態では、例えば、ハードディスク１０９に、ある機種と他の機種の関連機種であるか否かを判別するための情報が記憶されているものとする。この情報は、例えば、図９に示すように、設定値が互いに関連する機種を特定することが可能であるとともに、設定値が互いにどのような関係にあるかを特定することが可能である情報である。
【０１２３】
図９は、Ｍ００１で特定される機種の設定値ＡをＰＡ００１に設定し、Ｍ００２で特定される機種の設定値ＡをＰＡ００１＊１．６に設定し、Ｍ００３で特定される機種の設定値ＡをＰＡ００１に設定した場合、Ｍ００１で特定される機種と、Ｍ００２で特定される機種と、Ｍ００３で特定される機種と、で同一の音響効果が得られることを示している。つまり、過去にＭ００１で特定される機種に設定された設定値に基づいて、Ｍ００２で特定される機種に設定値を設定しようとする場合、設定値Ａについては、過去に設定された設定値を１．６倍してから設定する必要がある。一方、過去にＭ００１で特定される機種に設定された設定値に基づいて、Ｍ００３で特定される機種に設定値を設定しようとする場合、設定値Ａについては、過去に設定された設定値をそのまま設定すればよい。
【０１２４】
同様に、過去にＭ００１で特定される機種に設定された設定値に基づいて、Ｍ００２で特定される機種に設定値を設定しようとする場合、設定値Ｂについては、過去に設定された設定値を１．４倍してから設定する必要がある。一方、過去にＭ００１で特定される機種に設定された設定値に基づいて、Ｍ００３で特定される機種に設定値を設定しようとする場合、設定値Ｂについては、過去に設定された設定値を１．２倍してから設定する必要がある。
【０１２５】
また、過去にＭ００１で特定される機種に設定された設定値に基づいて、Ｍ００２で特定される機種に設定値を設定しようとする場合、設定値Ｃについては、過去に設定された設定値を１．４倍してから設定する必要がある。一方、過去にＭ００１で特定される機種に設定された設定値に基づいて、Ｍ００３で特定される機種に設定値を設定しようとする場合、設定値Ｃについては、過去に設定された設定値を０．８倍してから設定する必要がある。
【０１２６】
このように、ある機種の音響装置に設定値を設定しようとする場合、このある機種の関連機種に過去に設定された設定値を利用することができる。この理由は、ある機種とこのある機種の関連機種とは、音響特性を互いに導き出すことができる関係にあるからである。
【０１２７】
次に、図１０に示すフローチャートを参照して、サーバ３００が実行する音響パラメータ候補取得処理について説明する。なお、サーバ３００は、電源が投入されている間、音響パラメータ候補取得処理を繰り返して実行する。
【０１２８】
まず、ＣＰＵ３０１は、音響パラメータ設定装置１００から環境情報と設定値とを受信したか否かを判別する（ステップＳ３０１）。
【０１２９】
ＣＰＵ３０１は、音響パラメータ設定装置１００から環境情報と設定値とを受信していないと判別すると（ステップＳ３０１：ＮＯ）、ステップＳ３０１に処理を戻す。
【０１３０】
一方、ＣＰＵ３０１は、音響パラメータ設定装置１００から環境情報と設定値とを受信したと判別すると（ステップＳ３０１：ＹＥＳ）、同一機種の履歴情報があるか否かを判別する（ステップＳ３０２）。具体的には、ＣＰＵ３０１は、例えば、受信した環境情報に含まれる機種特定情報により特定される機種と同一の機種を特定する機種特定情報を含むレコード（履歴情報）が、ハードディスク１０９に記憶されているか否かを判別する。なお、機種は、機種や型番などを示す文字列や数値により特定される。
【０１３１】
ＣＰＵ３０１は、同一機種の履歴情報があると判別すると（ステップＳ３０２：ＹＥＳ）、同一機種の履歴情報に、同一ユーザ及び同一車種の履歴情報があるか否かを判別する（ステップＳ３０３）。具体的には、ＣＰＵ３０１は、同一機種の履歴情報を構成するレコードの中に、受信した環境情報に含まれるユーザ特定情報により特定されるユーザと同一のユーザを特定するユーザ特定情報と、受信した環境情報に含まれる車種特定情報により特定される車種と同一の車種を特定する車種特定情報と、の双方を含むレコード（履歴情報）があるか否かを判別する。
【０１３２】
ＣＰＵ３０１は、同一機種の履歴情報に、同一ユーザ及び同一車種の履歴情報があると判別すると（ステップＳ３０３：ＹＥＳ）、同一ユーザ、同一機種及び同一車種の履歴情報を抽出する（ステップＳ３０４）。具体的には、ＣＰＵ３０１は、同一ユーザ、同一機種及び同一車種の履歴情報をハードディスク１０９から読み出し、ＲＡＭ３０３に記憶させる。
【０１３３】
ＣＰＵ３０１は、ステップＳ３０４もしくはステップＳ３０９の処理を終了すると登録時刻が新しい順に所定個数の設定値を取得する（ステップＳ３０５）。具体的には、ＣＰＵ３０１は、例えば、ＲＡＭ３０３に記憶されている履歴情報に含まれる全てのレコードについて、登録時刻を比較する。そして、ＣＰＵ３０１は、登録時刻が新しい設定値から順に、所定個数の設定値を選択する。所定個数は、１以上の整数であればどんな個数であってもよい。
【０１３４】
ＣＰＵ３０１は、ステップＳ３０５の処理を終了すると、取得された所定個数の設定値を送信する（ステップＳ３０６）。
【０１３５】
ＣＰＵ３０１は、ステップＳ３０６もしくはステップＳ３１０の処理を終了すると、環境情報と設定値とを対応付けて登録する（ステップＳ３０７）。ＣＰＵ３０１は、ステップＳ３０７の処理を終了すると、音響パラメータ候補取得処理を終了する。
【０１３６】
ＣＰＵ３０１は、同一機種の履歴情報がないと判別すると（ステップＳ３０２：ＮＯ）、関連機種の履歴情報に、同一ユーザ及び同一車種の履歴情報があるか否かを判別する（ステップＳ３０８）。具体的には、ＣＰＵ３０１は、ハードディスク１０９に記憶された履歴情報のうち、受信した環境情報に含まれる機種特定情報により特定される機種と関連する機種を特定する機種特定情報を含むレコードの中に、受信した環境情報に含まれるユーザ特定情報により特定されるユーザと同一のユーザを特定するユーザ特定情報と、受信した環境情報に含まれる車種特定情報により特定される車種と同一の車種を特定する車種特定情報と、の双方を含むレコード（履歴情報）があるか否かを判別する。
【０１３７】
ＣＰＵ３０１は、関連機種の履歴情報に、同一ユーザ及び同一車種の履歴情報があると判別すると（ステップＳ３０８：ＹＥＳ）、同一ユーザ、関連機種及び同一車種の履歴情報を抽出する（ステップＳ３０９）。具体的には、ＣＰＵ３０１は、同一ユーザ、関連機種及び同一車種の履歴情報をハードディスク１０９から読み出し、ＲＡＭ３０３に記憶させる。なお、ＣＰＵ３０１は、関連機種に設定された設定値を、同一機種に設定する設定値に合わせるため、ＲＡＭ３０３に記憶された設定値を調整する。
【０１３８】
一方、ＣＰＵ３０１は、同一機種の履歴情報に、同一ユーザ及び同一車種の履歴情報がないと判別した場合（ステップＳ３０３：ＮＯ）、もしくは、関連機種の履歴情報に、同一ユーザ及び同一車種の履歴情報がないと判別した場合（ステップＳ３０８：ＮＯ）、該当する設定値がない旨を送信する（ステップＳ３１０）。
【０１３９】
本実施形態によれば、設定値を設定しようとしているユーザが、過去に、同一の機種又は関連機種の音響装置が、同一の車種の車両に搭載されている状態において、設定値を設定したことがある場合、過去に設定された時刻が比較的新しい設定値が設定されることが期待される。このため、設定値を設定しようとしている音響装置もしくはこの音響装置と関連する音響装置に好んで使用されている設定値が、この音響装置に設定されることが期待される。
【０１４０】
（第３の実施形態）
第３の実施形態では、履歴情報から設定値の候補が選択される際に、履歴情報に含まれる設定値がどの車種の車両に搭載された音響装置に対して設定されたものであるのかが重視される例について説明する。なお、第３の実施形態に係る音響パラメータ設定装置１００やサーバ３００は、基本的には、第１の実施形態に係る音響パラメータ設定装置１００やサーバ３００と同様の構成である。従って、以下の説明では、第１の実施形態と異なる部分を中心に説明する。
【０１４１】
本実施形態では、取得部１４は、車種特定情報により特定される車種に対応付けられた履歴情報が存在する場合、車種特定情報により特定される車種に対応付けられた履歴情報に基づいて決定される所定個数の設定値を取得する。一方、取得部１４は、車種特定情報により特定される車種に対応付けられた履歴情報が存在しない場合、車種特定情報により特定される車種以外の関連車種に対応付けられた履歴情報に基づいて決定される所定個数の設定値を取得する。
【０１４２】
また、本実施形態では、取得部１４は、関連車種の車両に搭載された関連機種の音響装置に設定された設定値の加重平均を、設定対象の音響装置に設定する設定値として取得する。
【０１４３】
さらに、本実施形態では、取得部１４は、関連車種の車両に搭載された関連機種の音響装置に設定することが推奨される所定個数の設定値が存在する場合、推奨される所定個数の設定値を取得する。一方、取得部１４は、関連車種の車両に搭載された関連機種の音響装置に設定することが推奨される設定値が存在しない場合、関連車種の車両に搭載された関連機種の音響装置に設定された設定値の履歴情報に基づいて決定される所定個数の設定値を取得する。
【０１４４】
また、本実施形態では、履歴情報は、関連車種の車両に搭載された関連機種の音響装置に設定された回数を、設定値毎に特定する情報を含む。なお、本実施形態では、関連機種は、音響パラメータが設定される音響装置の機種と同一の機種に限られるものとする。一方、本実施形態では、関連車種は、音響パラメータが設定される音響装置が搭載された車両の車種と同一の車種に限られないものとする。
【０１４５】
従って、本実施形態では、例えば、ハードディスク１０９に、ある車種と他の車種の関連車種であるか否かを判別するための情報が記憶されているものとする。この情報は、例えば、図１１に示すように、設定値が同様である車種を特定することが可能である情報である。
【０１４６】
図１１は、Ｃ００１で特定される車種のタイプがクーペであり、Ｃ００２で特定される車種のタイプがＳＵＶであり、Ｃ００３で特定される車種のタイプがセダンであり、Ｃ００４で特定される車種のタイプがハッチバックであり、Ｃ００５で特定される車種のタイプがクーペである例を示している。本実施形態では、車種のタイプが同じであれば、同一の設定値により同一の音響効果が得られるものとする。
【０１４７】
例えば、過去にＣ００１で特定される車種に設定された設定値に基づいて、Ｃ００５で特定される車種に設定値を設定しようとする場合、過去に設定された設定値をそのまま設定できることを示している。
【０１４８】
このように、ある車種の車両に搭載された音響装置に設定値を設定しようとする場合、過去にこのある車種の関連車種に設定された設定値を利用することができる。この理由は、ある車種とこのある車種の関連車種とは、音響特性が同一又は近似するからである。
【０１４９】
次に、図１２に示すフローチャートを参照して、サーバ３００が実行する音響パラメータ候補取得処理について説明する。なお、サーバ３００は、電源が投入されている間、音響パラメータ候補取得処理を繰り返して実行する。
【０１５０】
まず、ＣＰＵ３０１は、音響パラメータ設定装置１００から環境情報と設定値とを受信したか否かを判別する（ステップＳ４０１）。
【０１５１】
ＣＰＵ３０１は、音響パラメータ設定装置１００から環境情報と設定値とを受信していないと判別すると（ステップＳ４０１：ＮＯ）、ステップＳ４０１に処理を戻す。
【０１５２】
一方、ＣＰＵ３０１は、音響パラメータ設定装置１００から環境情報と設定値とを受信したと判別すると（ステップＳ４０１：ＹＥＳ）、推奨される所定個数の設定値があるか否かを判別する（ステップＳ４０２）。具体的には、ＣＰＵ３０１は、例えば、受信した環境情報に含まれる機種特定情報により特定される機種（又はこの機種の関連機種でもよい）、及び、受信した環境情報に含まれる車種特定情報により特定される車種（又はこの車種の関連車種でもよい）に対応付けられた推奨される所定個数の設定値が、ハードディスク１０９に予め記憶されているか否かを判別する。
【０１５３】
ＣＰＵ３０１は、推奨される所定個数の設定値がないと判別すると（ステップＳ４０２：ＮＯ）、同一車種の履歴情報があるか否かを判別する（ステップＳ４０３）。具体的には、ＣＰＵ３０１は、例えば、受信した環境情報に含まれる車種特定情報により特定される車種と同一の車種を特定する車種特定情報を含むレコード（履歴情報）が、ハードディスク１０９に記憶されているか否かを判別する。なお、車種は、車種や型番などを示す文字列や数値により特定される。
【０１５４】
ＣＰＵ３０１は、同一車種の履歴情報があると判別すると（ステップＳ４０３：ＹＥＳ）、同一車種の履歴情報に、同一ユーザ及び同一機種の履歴情報があるか否かを判別する（ステップＳ４０４）。具体的には、ＣＰＵ３０１は、同一車種の履歴情報を構成するレコードの中に、受信した環境情報に含まれるユーザ特定情報により特定されるユーザと同一のユーザを特定するユーザ特定情報と、受信した環境情報に含まれる機種特定情報により特定される機種と同一の機種を特定する機種特定情報と、の双方を含むレコード（履歴情報）があるか否かを判別する。
【０１５５】
ＣＰＵ３０１は、同一車種の履歴情報に、同一ユーザ及び同一機種の履歴情報があると判別すると（ステップＳ４０４：ＹＥＳ）、同一ユーザ、同一機種及び同一車種の履歴情報を抽出する（ステップＳ４０５）。具体的には、ＣＰＵ３０１は、同一ユーザ、同一機種及び同一車種の履歴情報をハードディスク１０９から読み出し、ＲＡＭ３０３に記憶させる。
【０１５６】
ＣＰＵ３０１は、ステップＳ４０５もしくはステップＳ４１２の処理を終了すると設定回数で重み付けされた設定値の加重平均を取得する（ステップＳ４０６）。具体的には、ＣＰＵ３０１は、例えば、ＲＡＭ３０３に記憶されている履歴情報に含まれる全てのレコードについて、設定値を加算し、得られる値をレコード数で除算する。
【０１５７】
ＣＰＵ３０１は、ステップＳ４０６の処理を終了すると、取得された設定値の加重平均を送信する（ステップＳ４０７）。
【０１５８】
ＣＰＵ３０１は、ステップＳ４０７、ステップＳ４１０もしくはステップＳ４１３の処理を終了すると、環境情報と設定値とを対応付けて登録する（ステップＳ４０８）。ＣＰＵ３０１は、ステップＳ４０８の処理を終了すると、音響パラメータ候補取得処理を終了する。
【０１５９】
ＣＰＵ３０１は、推奨される所定個数の設定値があると判別すると（ステップＳ４０２：ＹＥＳ）、推奨される所定個数の設定値を取得する（ステップＳ４０９）。具体的には、ＣＰＵ３０１は、推奨される所定個数の設定値を、ハードディスク１０９からＲＡＭ３０３に読み出す。
【０１６０】
ＣＰＵ３０１は、ステップＳ４０９の処理を終了すると、推奨される所定個数の設定値を送信する（ステップＳ４１０）。
【０１６１】
ＣＰＵ３０１は、同一車種の履歴情報がないと判別すると（ステップＳ４０３：ＮＯ）、関連車種の履歴情報に、同一ユーザ及び同一機種の履歴情報があるか否かを判別する（ステップＳ４１１）。具体的には、ＣＰＵ３０１は、ハードディスク１０９に記憶された履歴情報のうち、受信した環境情報に含まれる車種特定情報により特定される車種と関連する車種を特定する車種特定情報を含むレコードの中に、受信した環境情報に含まれるユーザ特定情報により特定されるユーザと同一のユーザを特定するユーザ特定情報と、受信した環境情報に含まれる機種特定情報により特定される機種と同一の機種を特定する機種特定情報と、の双方を含むレコード（履歴情報）があるか否かを判別する。
【０１６２】
ＣＰＵ３０１は、関連車種の履歴情報に、同一ユーザ及び同一機種の履歴情報があると判別すると（ステップＳ４１１：ＹＥＳ）、同一ユーザ、同一機種及び関連車種の履歴情報を抽出する（ステップＳ４１２）。具体的には、ＣＰＵ３０１は、同一ユーザ、同一機種及び関連車種の履歴情報をハードディスク１０９から読み出し、ＲＡＭ３０３に記憶させる。
【０１６３】
一方、ＣＰＵ３０１は、同一車種の履歴情報に、同一ユーザ及び同一機種の履歴情報がないと判別した場合（ステップＳ４０４：ＮＯ）、もしくは、関連車種の履歴情報に、同一ユーザ及び同一機種の履歴情報がないと判別した場合（ステップＳ４１１：ＮＯ）、該当する設定値がない旨を送信する（ステップＳ４１３）。
【０１６４】
本実施形態によれば、設定値を設定しようとしているユーザが、過去に、同一の機種の音響装置が、同一の車種又は関連車種の車両に搭載されている状態において、設定値を設定したことがある場合、過去に設定された平均的な設定値が設定されることが期待される。このため、設定値を設定しようとしている音響装置を搭載する車両もしくはこの車両と関連する車両に好んで使用されている平均的な設定値が、この音響装置に設定されることが期待される。
【０１６５】
また、本実施形態によれば、設定値を設定しようとしている音響機器と同一の機種又は関連機種の音響装置と、設定値を設定しようとしている音響機器を搭載する車両と同一の車種又は関連車種の車両と、に対応付けられた、推奨される所定個数の設定値がある場合、この推奨される所定個数の設定値が、優先的にこの音響装置に設定されることが期待される。
【０１６６】
（変形例）
本発明は、上記実施形態に開示したものに限られない。
【０１６７】
例えば、音響パラメータ設定装置１００が備える構成の一部をサーバ３００が備えるようにしてもよいし、サーバ３００が備える構成の一部を音響パラメータ設定装置１００が備えるようにしてもよい。例えば、音響パラメータ設定装置１００が、抽出部３３と決定部３４とを備えてもよい。この場合、サーバ３００が備える送信部３５は、記憶部３１に記憶されている全ての履歴情報を、音響パラメータ設定装置１００に送信する。一方、音響パラメータ設定装置１００が備える抽出部３３は、受信された全ての履歴情報から特定の履歴情報を抽出する。そして、音響パラメータ設定装置１００が備える決定部３４は、抽出された履歴情報に基づいて、所定個数の設定値を決定する。
【０１６８】
第１〜３の実施形態においては、サーバ３００が受信した環境情報と、サーバ３００が受信した設定値と、が、全て登録時刻と対応付けられて、ハードディスク１０９に記憶される例を示した。本発明において、環境情報と設定値とが互いに同じレコードは、重複して、ハードディスク１０９に記憶されなくてもよい。この場合、例えば、設定回数と最新の登録時刻とが、ハードディスク１０９に記憶される。
【０１６９】
第１〜３の実施形態では、音響パラメータ設定装置１００がＣＰＵ１０１とＲＯＭ１０２とＲＡＭ１０３とを備え、ＣＰＵ１０１が、ＲＯＭ１０２に記憶されているプログラムに従って、ソフトウェアにより音響パラメータ設定処理が実現される例を示した。しかし、音響パラメータ設定装置１００が実行する音響パラメータ設定処理は、ソフトウェアにより実現されるものに限定されない。例えば、音響パラメータ設定装置１００は、マイクロコンピュータ、ＦＰＧＡ（Field Programmable Gate Array）、ＰＬＤ（Programmable Logic Device）、ＤＳＰ（Digital Signal Processor）などにより構成されてもよい。
【０１７０】
なお、本発明に係る音響パラメータ設定装置は、専用のシステムによらず、通常のコンピュータシステムを用いても実現可能である。例えば、コンピュータに、上記動作を実行するためのプログラムを、フレキシブルディスク、ＣＤ−ＲＯＭ（Compact Disk-Read Only Memory）、ＤＶＤ（Digital Versatile Disk）、ＭＯ（Magnet Optical Disk）などのコンピュータ読み取り可能な記録媒体に記憶して配布し、これをコンピュータシステムにインストールすることにより、上述の処理を実行する音響パラメータ設定装置を構成しても良い。さらに、インターネット上のサーバ装置が有するディスク装置等にプログラムを記憶しておき、例えば、搬送波に重畳させて、コンピュータにダウンロード等するものとしてもよい。
【符号の説明】
【０１７１】
１１  環境情報記憶部
１２  設定値記憶部
１３  送信部
１４  取得部
１５  設定部
１６  指定受付部
１７  設定値設定部
３１  記憶部
３２  受信部
３３  抽出部
３４  決定部
３５  送信部
３６  登録部
１００  音響パラメータ設定装置
１０１  ＣＰＵ
１０２  ＲＯＭ
１０３  ＲＡＭ
１０４  ＲＴＣ
１０５  無線通信部
１０６  音声処理部
１０７、１０７ＦＬ、１０７ＲＬ、１０７ＦＲ、１０７ＲＲ  スピーカ
１０８  操作部
１０９  ハードディスク
１１０  画像処理部
１１１  タッチ操作検知部
１１２  タッチスクリーン
１２０  バス
２００  基地局
２０１  音声通信部
２０２  音声制御部
２０３  フィルタ係数記憶部
２０４  遅延量記憶部
２０５  増幅率記憶部
２０６  音声データ変換部
２０７、２０７ＦＬ、２０７ＲＬ、２０７ＦＲ、２０７ＲＲ  イコライザ部
２０８、２０８ＦＬ、２０８ＲＬ、２０８ＦＲ、２０８ＲＲ  遅延部
２０９、２０９ＦＬ、２０９ＲＬ、２０９ＦＲ、２０９ＲＲ  増幅部
３００  サーバ
３０１  ＣＰＵ
３０２  ＲＯＭ
３０３  ＲＡＭ
３０４  ＮＩＣ
３０５  ハードディスク
３０６  ＲＴＣ
３２０  バス
４００  電気通信網
１０００  音響パラメータ設定システム
【図１】
2013207580.tif 000003
【図２】
2013207580.tif 000004
【図３】
2013207580.tif 000005
【図４】
2013207580.tif 000006
【図５】
2013207580.tif 000007
【図６】
2013207580.tif 000008
【図７】
2013207580.tif 000009
【図８】
2013207580.tif 000010
【図９】
2013207580.tif 000011
【図１０】
2013207580.tif 000012
【図１１】
2013207580.tif 000013
【図１２】
2013207580.tif 000014